(57)【要約】【課題】人体の下背部に対してサポート効果を発揮する座位姿勢補助装置の提供。【解決手段】座面部１１と、座面部１１の後方から上方に向かって延伸された背板部１２を備え、座面部１１の上面に両側から中央に向かって徐々に低くなった座面区域１３が形成され、座面区域１３の前端部がやや下方に湾曲して斜面１４を成し、背板部１２の両側がそれぞれ上方に延伸されて凸部１５が設けられ、２つの凸部１５の上部中央が前方に隆起し、その両側が後方に湾曲されて、下背部両側をサポートする作用端１６が構成される。【選択図】図１
0003196468.tif 000002
【実用新案登録請求の範囲】
【請求項１】
座位姿勢補助装置であって、座面部と、前記座面部の後方から上方に向かって延伸された背板部を備え、前記座面部の上面に両側から中央に向かって徐々に低くなった座面区域が形成され、かつ前記座面区域の前端部がやや下方に湾曲して斜面を成し、前記背板部の両側がそれぞれ上方に延伸されて凸部が設けられ、前記２つの凸部の上部中央が前方に隆起し、その両側が後方に湾曲されて、下背部両側をサポートする作用端が構成されたことを特徴とする、座位姿勢補助装置。
【請求項２】
前記２つの凸部間に切欠部が形成されたことを特徴とする、請求項１に記載の座位姿勢補助装置。
【請求項３】
前記座面部と背板部に複数の通気孔が形成されたことを特徴とする、請求項１に記載の座位姿勢補助装置。
【請求項４】
表層で被覆されたことを特徴とする、請求項１に記載の座位姿勢補助装置。
【請求項５】
前記表層が軟質のパッドであることを特徴とする、請求項４に記載の座位姿勢補助装置。
【考案の詳細な説明】
【技術分野】
【０００１】
本考案は、サポート範囲を下背部両側まで上方に延伸した座位姿勢補助装置に関する。
【背景技術】
【０００２】
従来の座位姿勢調整機能を備えたポータブルシートクッションは、多くが図６と図７に示すようなもの、或いは特許文献１に開示されたようなものである。
上記従来のポータブルシートクッション４０は、表面に複数の貫通状の貫通孔４１が設けられ、かつポータブルシートクッション４０の表面の中心に中心支持領域４２が形成され、この中心支持領域４２はポータブルシートクッション４０の表面両側よりも内側に凹陥している。またポータブルシートクッション４０はハンドル部４３となる開口を備え、使用者が握ってポータブルシートクッション４０を持ち運びしやすくなっている。また、ポータブルシートクッション４０はさらに座面領域４４と腰部支持領域４５に区分することができる。
【０００３】
使用時は、ポータブルシートクッション４０を椅子などのシーティング装置上に置き、使用者が直接ポータブルシートクッション４０の上に腰掛けることができる。すると、中心支持領域４２が使用者の脊椎末端部位に対応して当接され、使用者の脊椎末端部分がサポートされて使用者の背部が自然に曲がらず真っすぐになるようになっている。
【０００４】
しかしながら、上述の従来のものは実際の応用時に次のような問題が存在する。
（一）腰部支持領域４５と中心支持領域４２が座面領域４４から上方へ少し延伸されているだけであり、人体の下背部をサポートすることができず、使用者が後ろに身体を傾けて椅子の背もたれ上にもたれかかろうとしたときに、全体が後ろに傾倒する現象が生じやすく、サポート効果が十分でないという問題がある。
（二）ポータブルシートクッション４０は臀部のみを包み込み（図８参照）、人体の下背部をサポートできないため、当然ながら下背部両側の仙骨とそのツボを押すこともできず、人体に対していかなる形の調整及び有益な作用も発生せず、実用的価値が高くない。
【先行技術文献】
【特許文献】
【０００５】
【特許文献１】台湾特許第Ｍ４４４１１１号明細書
【考案の概要】
【考案が解決しようとする課題】
【０００６】
本考案が解決しようとする課題は、上述の問題を解決し、人体の下背部に対してサポート効果を発揮する座位姿勢補助装置を提供することにある。
【課題を解決するための手段】
【０００７】
本考案の座位姿勢補助装置は、座面部と、前記座面部の後方から上方に向かって延伸された背板部を備え、前記座面部の上面に両側から中央に向かって徐々に低くなった座面区域が形成され、かつ前記座面区域の前端部がやや下方に湾曲して斜面を成し、前記背板部の両側がそれぞれ上方に延伸されて凸部が設けられ、前記２つの凸部の上部中央が前方に隆起し、その両側が相対して後方に湾曲されて、下背部両側をサポートする作用端が構成されている。
【０００８】
前記２つの凸部間に切欠部が形成される。
前記座面部と背板部に複数の通気孔を形成するとよい。
表層で被覆するのが望ましい。
前記表層は軟質のパッドとしてもよい。
【考案の効果】
【０００９】
先行技術と比較して、本考案には次のような効果がある。
（一）凸部の延伸によりサポート範囲を下背部まで延伸しており、使用者が後ろに身体を傾けて椅子の背もたれ上にもたれかかろうとしたときに、全体が後ろに傾倒する現象を回避でき、サポート効果に優れている。
（二）凸部の延伸によりサポート範囲を下背部まで延伸しており、凸部が作用端で下背部の両側を押し、当該部位に対してマッサージと姿勢矯正の効果を生じ、座位姿勢補助装置に人体に対して好ましい有益な作用と調整効果を発揮させ、実用性が高い。
【図面の簡単な説明】
【００１０】
【図１】本考案の実施例を示す座位姿勢補助装置の斜視図である。
【図２】本考案の実施例を示す座位姿勢補助装置の正面図である。
【図３】本考案の実施例を示す座位姿勢補助装置の平面図である。
【図４】本考案の実施例を示す座位姿勢補助装置の一部破断斜視図である。
【図５】本考案の実施例を示す座位姿勢補助装置の使用状態における一部破断斜視図である。
【図６】従来のポータブルシートクッションの斜視図である。
【図７】従来のポータブルシートクッションの側面図である。
【図８】従来のポータブルシートクッションの使用状態における側面図である。
【考案を実施するための形態】
【００１１】
以下、本考案の実施例を図面に基づいて詳細に説明する。
図１から図４に示すように、本考案の座位姿勢補助装置１０は、座面部１１と、座面部１１後方から上方に延伸された背板部１２を備える。
座面部１１の上面に両側から中央に向かって徐々に低くなった座面区域１３が形成され、かつ座面区域１３は前端部がやや下方に湾曲して斜面１４を成す。
背板部１２の両側はそれぞれ上方に延伸されて凸部１５が形成され、２つの凸部１５は上部中央が前方に向かって隆起し、その両側が相対して後方に湾曲され、下背部両側をサポートする作用端１６が構成される。また、２つの凸部１５間に切欠部１７が形成され、切欠部１７の設置により、２つの凸部１５を相互に分離した状態に保つことができる。
【００１２】
座位姿勢補助装置１０の座面部１１と背板部１２には複数の通気孔１８が設けられる。
また、座位姿勢補助装置１０は射出成型により表層２０で被覆される。表層２０は軟質のパッドであり、各種の色で形成することができる。
【００１３】
実際の使用時には、図５に示すように、座位姿勢補助装置１０を椅子等のシーティング装置３０上に置いたとき、使用者は座位姿勢補助装置１０の座面区域１３に直接腰掛けることができ、斜面１４の下方への湾曲によって両脚が円滑に前方に伸ばされ、膝を曲げて床面に接触した後も斜面１４に全面的にサポートされ、身体と座位姿勢補助装置１０の接触面積を大きくできるため、身体がぐらつかずしっかりと支えられる。
また、背板部１２の設置によって使用者の脊椎末端部位をサポートすることで、使用者の背部が曲がらず自然に真っすぐに保たれるほか、凸部１５の延伸によってサポート範囲が上方に下背部まで延伸され、凸部１５の作用端１６が下背部両側に当接されて、当該部位に対しマッサージと姿勢矯正の効果が発揮される。さらに、切欠部１７の設置により、背板部１２が脊椎に当たらないよう回避して、凸部１５を完全に人体上に当接させることができる。
【００１４】
上述の具体的な実施例の構造により、次のような効果が得られる。
（一）凸部１５の延伸によりサポート範囲を下背部まで延伸し、使用者が後ろに身体を傾けて椅子の背もたれ上にもたれかかろうとしたときに、全体が後ろに傾倒する現象を回避でき、サポート効果に優れている。
（二）凸部１５の延伸によりサポート範囲を下背部まで延伸しており、凸部１５が作用端１６で下背部の両側を押し、当該部位に対してマッサージと姿勢矯正の効果を生じ、座位姿勢補助装置１０に人体に対して好ましい有益な作用と調整効果を発揮させ、実用性が高い。
【００１５】
本考案はこれまでにない構造を備えており、産業上の利用性と進歩性を備えている。また、本考案はいかなる刊行物にも開示されたことがなく、新規性も備えているため、実用新案登録の要件を満たしている。
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００１６】
１０      座位姿勢補助装置
１１      座面部
１２      背板部
１３      座面区域
１４      斜面
１５      凸部
１６      作用端
１７      切欠部
１８      通気孔
２０      表層
３０      シーティング装置
４０      ポータブルシートクッション
４１      貫通孔
４２      中心支持領域
４３      ハンドル部
４４      座面領域
４５      腰部支持領域
【図１】
0003196468.tif 000003
【図２】
0003196468.tif 000004
【図３】
0003196468.tif 000005
【図４】
0003196468.tif 000006
【図５】
0003196468.tif 000007
【図６】
0003196468.tif 000008
【図７】
0003196468.tif 000009
【図８】
0003196468.tif 000010